(57)【要約】  端末は、基準時刻の調整に関するタイミング情報が受信され得る複数の候補セル群のうちの１つを特定する制御部と、特定したセル群に関連づけられたタイミング情報を受信する受信部と、を備える。
2020144786.tif 000002
【特許請求の範囲】
【請求項１】
基準時刻の調整に関するタイミング情報が受信され得る複数の候補セル群のうちの１つを特定する制御部と、
特定したセル群に関連づけられたタイミング情報を受信する受信部と、
を備える端末。
【請求項２】
前記制御部は、特定の条件に合致するセルを含む１つのセル群を、前記タイミング情報を受信するセル群に特定する、
請求項１に記載の端末。
【請求項３】
前記特定の条件に合致するセルは、プライマリセル、前記基準時刻に関する参照情報の受信に利用したセル、および、予め設定されたセルの少なくとも１つである、
請求項２に記載の端末。
【請求項４】
基準時刻の調整に関するタイミング情報を受信する受信部と、
前記基準時刻の調整に受信した前記タイミング情報を使用するか否かを制御する制御部と、
を備える端末。
【請求項５】
前記制御部は、ネットワークから設定された場合に、前記タイミング情報を使用する、
請求項４に記載の端末。
【請求項６】
前記制御部は、前記基準時刻に関する参照情報を受信したキャリアが時分割複信に使用され、かつ、アップリンク専用の特定のキャリアではない場合に、前記タイミング情報を使用する、
請求項４に記載の端末。
【請求項７】
基準時刻の調整に関するタイミング情報が受信され得る複数の候補セル群のうちの１つを特定し、
特定したセル群に関連づけられたタイミング情報を受信する、
通信方法。
【発明の詳細な説明】
【技術分野】
【０００１】
本開示は、端末及び通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
５Ｇ等の無線通信システムでは、装置間において、例えば、1μｓオーダー等の非常に高い同期（例えば、synchronicity、時間同期、クロック同期とも呼ぶ）の精度をサポートすることが検討されている（例えば、非特許文献１を参照）。
【先行技術文献】
【非特許文献】
【０００４】
【非特許文献１】3GPP TR 22.804 v16.1.0, “Study on Communication for Automation in Vertical Domains (Release 16),” September 2018
【発明の概要】
【発明が解決しようとする課題】
【０００５】
しかし、装置間の同期を確保し易い方法について十分に検討されていない。【０００６】
本開示の目的の一つは、装置間の同期を確保し易くすることにある。
【課題を解決するための手段】
【０００７】
本開示の一態様に係る端末は、基準時刻の調整に関するタイミング情報が受信され得る複数の候補セル群のうちの１つを特定する制御部と、特定したセル群に関連づけられたタイミング情報を受信する受信部と、を備える。【０００８】
本開示の一態様に係る端末は、基準時刻の調整に関するタイミング情報を受信する受信部と、前記基準時刻の調整に受信した前記タイミング情報を使用するか否かを制御する制御部と、を備える。
【発明の効果】
【０００９】
本開示によれば、装置間の同期を確保し易くなる。
【図面の簡単な説明】
【００１０】
【図１】一実施の形態に係る無線通信システムの構成の一例を示す図である。
【図２】同期の調整処理の一例を示す図である。
【図３】一実施の形態において２つのＴＡＧが端末に設定されたケースの例を示す図である。
【図４】一実施の形態におけるnon-co-located構成の一例を示す図である。
【図５】一実施の形態に係る基地局の構成の一例を示すブロック図である。
【図６】一実施の形態に係る端末の構成の一例を示すブロック図である。
【図７】一実施の形態に係る基地局及び端末のハードウェア構成の一例を示す図である。
【発明を実施するための形態】
【００１１】
以下、本開示の一態様に係る実施の形態を、図面を参照して説明する。
【００１２】
様々なユースケースに５Ｇシステムを適用することが検討される。ユースケースには、例えば、モーション・コントローラ、センサ又はアクチュエータを含む産業用システム（例えば、time sensitive networking（ＴＳＮ）と呼ぶこともある）、ライブパフォーマンス、スマートグリッド、又は、ローカル・カンファレンス・システム等がある。これらのユースケースでは、装置（例えば、User Equipment（ＵＥ）、端末、ノード又はエンティティと呼ぶこともある）間の同期精度に関して既存システムよりも厳しい要件が求められることがある。
【００１３】
図１は、本開示の一実施の形態に係る無線通信システムの構成の一例を示す図である。
【００１４】
図１に示すように、無線通信システムは、基地局（例えば、ｇＮＢ（gNodeB）又はｅＮＢ（eNodeB）とも呼ばれる）１０ａ，１０ｂ、及び、端末（例えば、ＵＥとも呼ばれる）２０ａ，２０ｂを有している。端末２０ａは、例えば、基地局１０ａと無線接続（無線アクセス）する。端末２０ｂは、例えば、基地局１０ｂと無線接続（無線アクセス）する。
【００１５】
なお、基地局及び端末の個数はそれぞれ２個に限らず、１つ又は３個以上でもよい。また、基地局１０及び端末２０の後述する構成は、本実施の形態に関連する機能の一例を示すものである。基地局１０及び端末２０は、図示しない機能を有してもよい。また、本実施の形態に係る動作を実行する機能であれば、機能区分、または、機能部の名称は限定されない。
【００１６】
図１に示すように、端末２０ａと端末２０ｂとの間の同期を確立するための動作には、例えば、以下の動作ａ、動作ｂ及び動作ｃがある。
【００１７】
（動作ａ）基地局１０ａ及び基地局１０ｂは、基準時刻を示す時間情報を、例えば、サーバ（図示せず）から取得し、基準時刻に同期する。なお、図１は、基準時刻の一例に協定世界時（Universal Time Coordinated（ＵＴＣ））を用いる場合を示す。しかし、基準時刻は、ＵＴＣに限定されず、例えば、ＧＰＳ（Global Positioning System）タイムでもよく、ローカルタイムでもよい。なお、ＵＴＣは、ＧＭＴ（Greenwich Mean Time）と同一視されることもある。
【００１８】
（動作ｂ）基地局１０ａ及び端末２０ａは、例えば、基地局１０ａが同期している基準時刻に基づいて互いに同期する。同様に、基地局１０ｂ及び端末２０ｂは、基地局１０ｂが同期している基準時刻に基づいて互いに同期する。
【００１９】
（動作ｃ）基地局１０ａと端末２０ａとの間の伝搬経路、及び、基地局１０ｂと端末２０ｂとの間の伝搬経路は、互いに異なる可能性がある。各端末と基地局との間の伝搬経路に差が生じることによって、例えば、各端末での基準時刻に関する情報の受信タイミング（換言すると、伝搬遅延）に差が生じ、端末間の同期精度が劣化する可能性がある。そこで、例えば、端末２０ａ及び端末２０ｂは、基地局１０ａ及び基地局１０ｂからそれぞれ通知（例えば、indicate）される時刻に関する調整情報（例えば、後述するタイミングアドバンス（Timing Advance（ＴＡ））コマンド）を用いて、同期の調整（又は補正）を行う。
【００２０】
以上の動作によって、端末２０ａ及び端末２０ｂの各々は、基準時刻（例えば、ＵＴＣ）に同期する。端末２０ａ及び端末２０ｂが基準時刻にそれぞれ同期することにより、端末２０ａと端末２０ｂとの間の同期が確立する。
【００２１】
次に、装置間の同期における調整方法（例えば、図１に示す動作（ｃ））について説明する。
【００２２】
図２は、ｇＮＢ（例えば、図１の基地局１０ａ又は基地局１０ｂ）とＵＥ（例えば、図１の端末２０ａ又は端末２０ｂ）との間における同期の調整処理の一例を示す。
【００２３】
図２に示すように、ｇＮＢは、例えば、基準時刻に関する情報（以下、時刻参照情報（timing reference information）と呼ぶ）をＵＥへ通知する（別言すると、送信又はdelivery））。この通知は、例えば、図１の動作（ｂ）に対応する。なお、基準時刻に関する情報は、時間参照情報またはtime reference information等の別の呼称に対応づけられてもよい。
【００２４】
時刻参照情報には、例えば、ｇＮＢが取得した基準時刻（以下、「TgNB」と表す）が含まれる。また、時刻参照情報には、例えば、基準時刻TgNBがどのフレームタイミング（例えば、システムフレーム番号：System Frame Number（ＳＦＮ））の時刻であるかを示す情報（例えば、reference SFNと呼ぶ）が含まれてよい。例えば、時刻「TgNB」は、reference SFNが示すフレームの終了境界（ending boundary）における時刻を示してもよい。なお、時刻参照情報には、TgNB及びreference SFNとは異なる他の情報が含まれてもよい。
【００２５】
また、時刻参照情報は、例えば、ｇＮＢからＵＥへ通知される。ｇＮＢからＵＥへの通知には、例えば、報知情報の一例であるシステム情報（例えば、System Information Block（ＳＩＢ））、又は、上位レイヤシグナリング（又は、上位レイヤパラメータ又はRadio Resource Control（ＲＲＣ）シグナリングと呼ぶ）が用いられる。時刻参照情報の通知に用いられるシステム情報は、例えば、５Ｇ（ＮＲ）システムにおけるＳＩＢ９又はＬＴＥシステムにおけるＳＩＢ１６である。また、時刻参照情報の通知には、例えば、ＵＥ個別のＲＲＣシグナリング（例えば、dedicated RRCシグナリング又はunicast RRCシグナリング）が用いられてもよい。また、時刻参照情報の通知には、ＵＥ個別に設定されるチャネル（例えば、unicast PDSCH（Physical Downlink Shared Channel））、または、複数のＵＥに対して設定されるチャネル（例えば、multi-cast PDSCH）が用いられてもよい。
【００２６】
また、図２に示すように、ｇＮＢは、基準時刻に基づく通信タイミングを調整するための調整値を示す調整情報（例えば、ＴＡコマンド（ＴＡＣ））をＵＥへ通知（換言すると、送信又はdelivery）する。ＴＡコマンドは、例えば、伝搬経路又は距離の異なり得る複数のＵＥからｇＮＢへ送信される信号がｇＮＢにおいて同期して受信されるための調整値である。ＴＡコマンドの累積値は、例えば、信号がｇＮＢからＵＥへ到達するまでの伝搬経路に対応する時間の２倍の値が設定される。換言すると、ＴＡコマンドの累積値の半分の値は、ｇＮＢとＵＥとの間の伝搬経路に対応して加えられる伝搬遅延時間を表す。
【００２７】
なお、ＴＡコマンドは、基準時刻の調整に関するタイミング情報の一例に相当する。また、ＴＡコマンドは、伝搬遅延に対応する時間そのものを表す情報でもよく、伝搬遅延に対応する時間を算出するための情報（例えば、インデックス等）でもよい。
【００２８】
また、ＴＡコマンドは、例えば、ランダムアクセス（Random Access（ＲＡ））処理では、ＲＡＲ（Random Access Response）（又は、message 2とも呼ばれる）を用いて通知される。また、ＴＡコマンドは、ＲＡ処理と異なるケースでは、例えば、ＭＡＣ制御要素（Media Access Control Control Element（ＭＡＣ  ＣＥ））を用いて通知される。
【００２９】
例えば、ｇＮＢは、ＵＥ毎にＴＡコマンドを生成し、各ＴＡコマンドを対応するＵＥへ送信する。ＵＥは、ＴＡコマンド（例えば、「TA」と表す）を受信した後、ＴＡコマンドに基づいて、タイミング調整値（例えば、図２ではTA/2）を算出する。ＵＥは、算出したタイミング調整値又はその累積値を用いて、時刻参照情報に含まれる時刻TgNBを調整し、時刻TUE（=TgNB+TA/2）を算出できる。また、ＵＥは、例えば、ＲＡ処理と異なるケースでは、ＴＡコマンドが通知される度に、新たなＴＡコマンドを用いて、タイミング調整値（つまりＴＡコマンドの累積値）を更新できる。この更新により、図２では、ＵＥは、例えば、ＵＥの通信環境の変化に追従して、ｇＮＢから通知される基準時刻に同期できる。
【００３０】
例えば、図１に示す基地局１０ａと端末２０ａとの組、及び、基地局１０ｂと端末２０ｂとの組は、それぞれ、図２に示すｇＮＢ及びＵＥと同様の同期処理を行う。これにより、図１に示す端末２０ａ及び端末２０ｂは、それぞれ基準時刻に同期し、結果的に、端末２０ａと端末２０ｂとが同期している状態となる。
【００３１】
上述したように、端末２０は、ＴＡコマンドを用いて基準時刻を調整することによって、他の装置（例えば、基地局１０）との同期を確立する。
【００３２】
しかしながら、端末２０は、同期の確立を行う場合に、基準時刻の調整にＴＡコマンドを使用して良いかを特定することが困難なケースが存在する。以下、２つのケースを例示して説明する。
【００３３】
＜ケース１＞
例えば、Carrier Aggregation（ＣＡ）が適用されるシステムにおいて、端末２０は、基準時刻の調整にどのＴＡコマンドを使用して良いかを特定することが困難な場合がある。
【００３４】
ＣＡは、複数のキャリアを用いて通信を行うことが許容される方式である。ＣＡにおけるキャリアは、例えば、Component Carrier（ＣＣ）と呼ばれる。ＣＡが適用される場合、端末２０に対する接続性を担保するセルは、プライマリセル（PCell）に設定され、プライマリセルと異なる１つ以上のセルは、セカンダリセル（SCell）に設定される。セル間では、互いに異なる周波数（例えば、ＣＣ）が使用されてよい。
【００３５】
例えば、端末２０が複数のＣＣを用いて上りリンク（Uplink：ＵＬ）送信を行うＵＬ  ＣＡにおいて、ＣＣおよび／またはカバレッジがセル間で異なる場合、ＤＬ受信タイミングおよび／またはＵＬ送信タイミングがセル毎に異なる。そのため、端末２０では、セル毎に同期を確立することが望まれる。
【００３６】
この場合、ＣＣのグループ毎にＴＡコマンドを設定し、同期を確立することが考えられる。ＣＣのグループ毎に同期を確立する設定は、マルチプルタイミングアドバンス（Multiple Timing Advance：ＭＴＡ）と呼ばれてよい。また、ＴＡコマンドが設定されるＣＣのグループは、タイミングアドバンスグループ（Timing Advance Group：ＴＡＧ）と呼ばれてよい。ＴＡＧは、端末２０に対して設定される。ＴＡＧに含まれるＣＣは、例えば、端末２０において無線特性が同等であるＣＣである。１つのＴＡＧには、少なくとも１つのＣＣが含まれる。
【００３７】
なお、以下では、セル間で、互いに異なるＣＣが使用される場合を説明する。この場合、ＴＡＧは、セルのグループに相当し、１つのＴＡＧには、少なくとも１つのセルが含まれる。ＴＡＧは、端末２０がＴＡコマンドを受信し得る候補セル群の一例に相当する。
【００３８】
図３は、本実施の形態において２つのＴＡＧが端末２０に設定されたケースの例を示す図である。図３では、端末２０から基地局１０ａへのＵＬ送信に設定されたＴＡＧ＃１と、端末２０から基地局１０ｂへのＵＬ送信に設定されたＴＡＧ＃２とが示される。
【００３９】
例えば、図３に示すように、１つの端末２０に対して、２つ以上のＴＡＧが設定された場合、ＴＡＧ毎にＴＡコマンドが設定されるため、端末２０は、基準時刻を調整するために使用するＴＡＧを特定することが困難な場合がある。
【００４０】
上述のように、ケース１は、端末２０に対してＵＬ  ＣＡおよびＭＴＡが設定されるケースである。ケース１では、端末２０は、複数のＴＡＧそれぞれに設定されるＴＡコマンドの中から、基準時刻を調整するために使用するＴＡＧが特定されないため、基準時刻の調整にＴＡコマンドを使用して良いか否かを特定することが困難な場合がある。
【００４１】
＜ケース２＞
端末２０に対してＤＬ信号を送信する送信ポイントと、端末２０からＵＬ信号を受信する受信ポイントとが、同一の位置に配置されない構成の場合、端末２０は、基準時刻の調整にＴＡコマンドを使用して良いか否かを特定することが困難な場合がある。ここで、送信ポイントと受信ポイントとが同一の位置に配置されない構成は、送信ポイントと受信ポイントとがnon-co-located構成であると捉えてよい。送信ポイントと受信ポイントとがnon-co-located構成であるとは、例えば、送信ポイントと受信ポイントの一方を基地局１０が担い、他方を基地局１０に接続されるＲＲＨ（Remote  Radio  Head）が担う構成であってよい。
【００４２】
図４は、本実施の形態におけるnon-co-located構成の一例を示す図である。図４には、ＤＬ信号の送信ポイントである基地局１０と、ＵＬ信号の受信ポイントであるＲＲＨと、ＤＬ信号を送信し、ＵＬ信号を受信する端末２０とが示される。なお、基地局１０と基地局１０のＲＲＨとは、無線接続であってよいし、有線接続であってもよい。
【００４３】
例えば、図４に示すように、送信ポイントと受信ポイントとがnon-co-located構成の場合、ＤＬ信号の伝搬経路と、ＵＬ信号の伝搬経路とが異なる可能性があるため、端末２０における基準時刻の調整にＤＬ信号に含まれるＴＡコマンドを使用して良いか否かについては、検討の余地がある。
【００４４】
上述のように、ケース２は、送信ポイントと受信ポイントとがnon-co-located構成であるというケースである。ケース２では、端末２０は、基準時刻の調整にＴＡコマンドを使用して良いか否かを特定することが困難な場合がある。
【００４５】
本開示では、上述のケース１およびケース２の何れの場合でも同期精度を向上させ、同期を確保し易くする設定について説明する。
【００４６】
＜基地局及び端末の構成＞
図５は、本実施の形態に係る基地局１０（例えば、図１に示す基地局１０ａ又は基地局１０ｂ）の構成の一例を示すブロック図である。基地局１０は、例えば、送信部１０１と、受信部１０２と、制御部１０３と、を含む。
【００４７】
送信部１０１は、端末２０向けの信号（下りリンク信号）を端末２０へ送信する。例えば、送信部１０１は、制御部１０３の制御により、下りリンク信号を送信する。
【００４８】
下りリンク信号には、例えば、時刻参照情報を含むシステム情報（例えば、ＳＩＢ９）、時刻参照情報を含む上位レイヤシグナリング、ＴＡコマンドを含むＲＡメッセージ（例えば、ＲＡＲ）、又は、ＴＡコマンドを含むＭＡＣ  ＣＥが含まれてよい。
【００４９】
受信部１０２は、端末２０から送信される信号（上りリンク信号）を受信する。例えば、受信部１０２は、制御部１０３の制御により、上りリンク信号を受信する。上りリンク信号には、例えば、ＲＡプリアンブル、端末２０における通信品質の測定結果を示す測定報告（例えば、Measurement Report（ＭＲ））、チャネル品質情報、制御チャネルの信号、データチャネルの信号、又は、参照信号等が含まれる。なお、チャネル品質情報は、例えば、channel quality information （ＣＱＩ）である。制御チャネルは、例えば、Physical Uplink Control Channel（ＰＵＣＣＨ）であり、データチャネルは、例えば、Physical Uplink Shared Channel（ＰＵＳＣＨ）である。また、参照信号は、例えば、Sounding Reference Signal（ＳＲＳ）である。
【００５０】
制御部１０３は、送信部１０１における送信処理、及び、受信部１０２における受信処理の制御を行う。例えば、制御部１０３は、送信部１０１における時刻参照情報の送信処理（通知処理）（例えば、時刻参照情報を通知するセルおよび／またはキャリアの設定と、時刻参照情報を通知する方法の設定）を制御する。また、例えば、制御部１０３は、送信部１０１におけるＴＡコマンドの送信処理（例えば、ＴＡコマンドの送信タイミングおよびＴＡコマンドの使用に関する設定の通知）を制御する。
【００５１】
図６は、本実施の形態に係る端末２０（例えば、図１に示す端末２０ａ又は端末２０ｂ）の構成の一例を示すブロック図である。端末２０は、例えば、受信部２０１と、送信部２０２と、制御部２０３と、を含む。
【００５２】
受信部２０１は、基地局１０から送信される下りリンク信号を受信する。例えば、受信部２０１は、制御部２０３の制御により、下りリンク信号を受信する。なお、受信部２０１は、例えば、他の端末２０（図示せず）から送信される信号を基地局１０を介さずに直接受信してもよい。
【００５３】
送信部２０２は、上りリンク信号を基地局１０へ送信する。例えば、送信部２０２は、制御部２０３の制御により、上りリンク信号を送信する。なお、送信部２０２は、例えば、他の端末２０（図示せず）宛ての信号を基地局１０を介さずに直接送信してもよい。
【００５４】
制御部２０３は、受信部２０１における受信処理、及び、送信部２０２における送信処理の制御を行う。例えば、制御部２０３は、受信した下りリンク信号から基準時刻情報を取得する。また、制御部２０３は、受信した下りリンク信号からＴＡコマンドを検出する。制御部２０３は、ＴＡコマンドの使用に関する制御を行ってよい。そして、場合によって、制御部２０３は、ＴＡコマンドを用いて、基準時刻を調整してよい。
【００５５】
次に、上述のケース１およびケース２の何れの場合でも同期精度を向上させ、同期を確保し易くする設定について説明する。以下、ケース１、ケース２それぞれについて説明する。
【００５６】
＜ケース１における端末２０の設定＞
例えば、ケース１において、端末２０には、特定のＴＡＧ（以下、「参照ＴＡＧ（reference TAG）」と記載する）から取得するＴＡコマンドを使用する設定がなされてよい。例えば、端末２０は、複数のＴＡＧそれぞれに関連付けられたＴＡコマンドのうち、参照ＴＡＧに関連付けられたＴＡコマンドを使用する。
【００５７】
参照ＴＡＧは、特に限定されないが、例えば、特定の条件に合致するセルを含むＴＡＧであってよい。例えば、参照ＴＡＧは、PCellを含むＴＡＧであってよい。
【００５８】
あるいは、参照ＴＡＧは、特定のサービングセルを含むＴＡＧであってよい。ここで、特定のサービングセルは、例えば、端末２０が時刻参照情報を取得したサービングセルである。別言すれば、特定のサービングセルは、端末２０が時刻参照情報を受信したセルである。
【００５９】
また、参照ＴＡＧは、任意のＴＡＧであってよい。例えば、参照ＴＡＧは、端末２０の実装に基づいて設定されてよいし、参照ＴＡＧは、予め設定されているＴＡＧであってよい。
【００６０】
参照ＴＡＧに関する情報は、ネットワーク（例えば、基地局１０）から通知されてよい。通知の方法は、物理レイヤのシグナリングであっても、上位レイヤのシグナリングであってもよい。
【００６１】
以上のように、端末２０は、複数のＴＡＧそれぞれに関連付けられたＴＡコマンドのうち、参照ＴＡＧに関連付けられたＴＡコマンドを使用する。このように、参照ＴＡＧが設定されることにより、端末２０は、複数のＴＡＧが設定されている状況であっても、基準時刻の調整に使用するＴＡＧを特定できるため、同期精度を向上させ、同期を確保し易くできる。
【００６２】
＜ケース２における端末２０の設定＞
例えば、ケース２において、端末２０は、基準時刻の調整にＴＡコマンドを使用するか否かを制御してよい。この制御において、ＴＡコマンドを使用するか否かを特定する方法は特に限定されない。例えば、以下の２つの特定方法のいずれかであってよい。
【００６３】
＜特定方法１＞
ネットワークが端末２０に設定を行った場合、端末２０は、基準時刻の調整にＴＡコマンドを使用することが許容されてよい。許容されない場合、例えば、ネットワークが設定を行わない場合、端末２０は、基準時刻の調整にＴＡコマンドを使用しない。なお、ここで、ネットワークは、上述した基地局１０であってもよいし、複数の基地局１０を含んでもよいし、基地局１０よりも上位に位置する制御装置を含んでもよい。
【００６４】
以上、端末２０は、ネットワークによって、ＴＡコマンドを使用するか否かが設定されてよい。別言すれば、端末２０は、ネットワークが端末２０に設定していない場合には、ＴＡコマンドを使用しない設定がなされてよい。
【００６５】
＜特定方法２＞
端末２０が時刻参照情報の取得に利用したキャリアが、unpaired spectrumであり、かつ、non-Supplemental Uplink（non-SUL）の場合、端末２０は、基準時刻の調整にＴＡコマンドを使用することが許容されてよい。ここで、キャリアがunpaired spectrumであることは、当該キャリアが時分割複信（Time Division Duplex）に使用されることを意味する。また、キャリアがnon-SULであることは、当該キャリアがsupplemental uplinkのキャリアではないこと、すなわち、アップリンクのために追加された特定のキャリアではないことを意味する。
【００６６】
別言すれば、端末２０は、時刻参照情報の取得に利用したキャリアが、unpaired spectrumである、および／または、Supplemental Uplinkである場合には、ＴＡコマンドを使用しなくてよい。
【００６７】
以上のように、端末２０は、例えば、特定方法１または特定方法２に示す方法に基づいて、基準時刻の調整にＴＡコマンドを使用するか否かを制御してよい。このように、基準時刻の調整にＴＡコマンドを使用するか否かが制御されることにより、端末２０は、基準時刻の調整にＴＡコマンドを使用して良いか否かを特定できるため、同期精度を向上させ、同期を確保し易くできる。
【００６８】
なお、上述において、「時刻参照情報を取得する」という表記は、時刻参照情報を含む信号を受信し、受信した信号から情報を検出（または抽出）することに対応してよい。
【００６９】
また、上述したセル、または、サービングセルという用語は、キャリア、コンポーネントキャリア（ＣＣ）、ＢＷＰ等に置き換えられてよい。
【００７０】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００７１】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００７２】
例えば、本開示の一実施の形態における基地局、端末などは、本開示の無線通信方法の処理を行うコンピュータとして機能してもよい。図７は、本開示の一実施の形態に係る基地局及び端末のハードウェア構成の一例を示す図である。上述の基地局１０及び端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【００７３】
なお、以下の説明では、「装置」という文言は、回路、デバイス、ユニットなどに読み替えることができる。基地局１０及び端末２０のハードウェア構成は、図に示した各装置を１つ又は複数含むように構成されてもよいし、一部の装置を含まずに構成されてもよい。
【００７４】
基地局１０及び端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００７５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１０３および制御部２０３などは、プロセッサ１００１によって実現されてもよい。
【００７６】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、基地局１０の制御部１０３または端末２０の制御部２０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００７７】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【００７８】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００７９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１０１、受信部１０２、受信部２０１および送信部２０２などは、通信装置１００４によって実現されてもよい。
【００８０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００８１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００８２】
また、基地局１０及び端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００８３】
（情報の通知、シグナリング）
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００８４】
（適用システム）
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（New  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００８５】
（処理手順等）
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００８６】
（基地局の動作）
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００８７】
（入出力の方向）
情報等（※（情報、信号）の項目参照）は、上位レイヤ（又は下位レイヤ）から下位レイヤ（又は上位レイヤ）へ出力され得る。複数のネットワークノードを介して入出力されてもよい。
【００８８】
（入出力された情報等の扱い）
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００８９】
（判定方法）
判定は、１ビットで表される値（０か１か）によって行われてもよいし、真偽値（Boolean：true又はfalse）によって行われてもよいし、数値の比較（例えば、所定の値との比較）によって行われてもよい。
【００９０】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００９１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００９２】
（情報、信号）
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００９３】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００９４】
（「システム」、「ネットワーク」）
本開示において使用する「システム」及び「ネットワーク」という用語は、互換的に使用される。
【００９５】
（パラメータ、チャネルの名称）
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００９６】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００９７】
（基地局（無線基地局））
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００９８】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００９９】
（端末）
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１００】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１０１】
（基地局／移動局）
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１０２】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能を端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１０３】
同様に、本開示における端末は、基地局で読み替えてもよい。この場合、上述の端末２０が有する機能を基地局１０が有する構成としてもよい。
【０１０４】
（用語の意味、解釈）
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１０５】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１０６】
参照信号は、ＲＳ（Reference  Signal）と略称することもでき、適用される標準によってパイロット（Pilot）と呼ばれてもよい。
【０１０７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１０８】
「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１０９】
上記の各装置の構成における「部」を、「手段」、「回路」、「デバイス」等に置き換えてもよい。
【０１１０】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１１１】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジー（numerology）に依存しない固定の時間長（例えば、１ｍｓ）であってもよい。
【０１１２】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１１３】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１１４】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１１５】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１１６】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１１７】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１１８】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１１９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１２０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１２１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１２２】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１２３】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１２４】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１２５】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１２６】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１２７】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１２８】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１２９】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１３０】
本開示において、例えば、英語でのa,  an及びtheのように、翻訳により冠詞が追加された場合、本開示は、これらの冠詞の後に続く名詞が複数形であることを含んでもよい。
【０１３１】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１３２】
(態様のバリエーション等)
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１３３】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０１３４】
本開示の一態様は、移動通信システムに有用である。
【符号の説明】
【０１３５】
１０  基地局
２０  端末
１０１，２０２  送信部
１０２，２０１  受信部
１０３，２０３  制御部
【図１】
2020144786.tif 000003
【図２】
2020144786.tif 000004
【図３】
2020144786.tif 000005
【図４】
2020144786.tif 000006
【図５】
2020144786.tif 000007
【図６】
2020144786.tif 000008
【図７】
2020144786.tif 000009
【国際調査報告】
2020144786.tif 000010
2020144786.tif 000011
2020144786.tif 000012
2020144786.tif 000013